(57)【特許請求の範囲】
【請求項１】
随意に選ばれた構成メンバーをもつ機器システムにおいて、
トイレ室内に設置され、前記トイレ室内に単独で設置されているか前記機器システムのメンバーとして他の何の機器と一緒に設置されているかに関わらず、自己の動作状態を外部へ発信する発信手段を有する１台又は複数台の発信機能付機器と、
前記トイレ室内に設置され、前記発信機能付機器からの前記情報信号を受信する受信手段と、受信された情報信号に基づき自己の動作状態を変更することが可能な制御手段とを有する１台又は複数台の受信機能付機器と
を備え、
前記受信機能付機器の前記制御手段は、前記受信された情報信号を自己の動作状態の変更にどのように利用するかを自律的に決定して、前記受信機能付機器を自動的に動作させる、機器システム。
【請求項２】
前記受信機能付機器を複数台備え、
前記発信機能付機器から同じ情報信号を受けた異なる受信機能付機器が、異なる態様で自己の動作状態を変更することを特徴とする請求項１の機器システム。
【請求項３】
前記発信機能付機器の内の少なくとも１台は、他の機器から発信される情報信号を受信する受信手段と、受信された情報信号に基づき自己の動作状態を変更する制御手段とを有する受発信機能付機器であることを特徴とする請求項１又は２に記載の機器システム。
【請求項４】
前記機器システムの構成メンバーの内の少なくとも１台は、他の機器からの情報信号に基づいて、自己の動作状態を省電力待機状態から通常稼動状態に移行し、もしくは通常稼動状態から省電力待機状態に移行することを特徴とする請求項１〜３のいずれか１項に記載の機器システム。
【請求項５】
前記機器システムの構成メンバーの内の少なくとも１台は、他の機器からの情報信号に基づいて、自己の消費電力量を変化させることを特徴とする請求項１〜３のいずれか１項に記載の機器システム。
【請求項６】
前記機器システムの構成メンバーの内の少なくとも１台は、
(1)  他の機器からの情報信号に基づいて自己の動作状態を変更する連動運転モードと、
(2)  他の機器からの情報信号に基づいては自己の動作状態を変更しない個別運転モードと
の内から所望のモードが選択可能であることを特徴とする請求項１〜３のいずれか１項に記載の機器システム。
【請求項７】
前記機器システムの構成メンバーの内の少なくとも１台は、他の機器からの情報信号に基づいて自己の動作状態を変更するための複数の変更方法を有し、前記複数の変更方法の中から所望の方法が選択可能であり、
前記複数の変更方法には、
(1)  他の機器からの情報信号に基づいて自己の消費電力を比較的に大きい値以下に抑制するか否かを切替える第１の変更方法と、
(2)  他の機器からの情報信号に基づいては自己の消費電力を比較的に小さい値以下に抑制するか否かを切替える第２の変更方法と
を含むことを特徴とする請求項１〜３のいずれか１項に記載の機器システム。
【発明の詳細な説明】
【０００１】
【発明の属する技術分野】
本発明は、或る環境に設置される複数の機器から構成される機器システムであって、その構成メンバーが人の随意で選択され得るような機器システムに関する。
【０００２】
本発明は、例えば、トイレ室もしくはそれに隣接する洗面所、脱衣所、浴室等などを含む屋内環境に、局部洗浄装置、照明装置、冷暖房装置等の複数の機器を、使用者の要望に応じて選択的に設置可能とした機器システムに好適であり、特に、これら複数の機器が利用者の意に促して連携して動作する機器システムに好適である。
【０００３】
【従来の技術】
従来、例えばトイレに設置される装置の一形態として、便器本体の後部上面に局部洗浄装置を跨架状に取付け、同局部洗浄装置の機能部ケーシングに便座本体と便蓋とを取付けたものがある。そして、用便後に、かかる局部洗浄装置により、便座本体に着座した用便後の使用者の局部を洗浄することができるようにしている。
【０００４】
【発明が解決しようとする課題】
しかし、局部洗浄装置には、例えばトイレ室内を暖房するための暖房機能を有していないことが多く、特に冬場等の寒い時期には、別途室内暖房機器をトイレ室内に設置しなければならず、設置にあたって利用者は局部洗浄装置及び室内暖房機器の双方の定格電力量とトイレ内のコンセントの許容電力量とを調べる必要があり手間であった。また、そのようなことをせずに設置した場合には、ブレーカーが落ちることがあった。
【０００５】
また、利用者が複数の機器を設置した場合には、各々の機器を個別に操作せねばならない必要があり、不便である。また、機器の動作停止忘れなどがあると、無用な電力を消費してしまう。
【０００６】
更に、これら機器の動作時間を限定するためには、局部洗浄装置と室内暖房器具などの機器が各々独立の機器であるために各々に作動開始や作動停止を制御するためのタイマー装置等を設ける必要があり、各々の機器の構成を複雑化させ、機器コストを上昇させると共に、利用者は双方の設定を行なわなければならないという不具合や、各機器間の動作に時間的なずれが生じるといった不具合も発生していた。
【０００７】
これらを解決するために、局部洗浄装置に予め外部ユニット接続用コネクタを設けておき、後付で外部ユニットを接続できるようにしておき、外部ユニットが接続された際には電力及び動作指示信号を外部ユニットに供給する機器が特開平１０−３３１２３７号等により提案されている。
【０００８】
しかし、このような機器では、多くは単体で使用されるであろう局部洗浄装置にも、予め外部ユニットを制御するためのプログラム等を記憶しておく必要があり、更に外部ユニット接続数分のコネクタをも設ける必要があり、局部洗浄装置自体が高価になるという不具合があった。また、このような装置では、どのような外部ユニットが接続されるかを予測して設計する必要があり、可能性を考慮して結果的に余計なものを搭載することが常であった。
【０００９】
従って本発明の目的は、利用者の必要に応じて設置する機器を選択することが可能であると共に、選択された複数の機器が利用者の意に促して連携して動作する、トイレ室内等に設置される機器システムを利用者に安価に提供することにある。
【００１０】
【課題を解決するための手段】
本発明の第１の観点に従う、随意に選ばれた構成メンバーをもつ機器システムは、トイレ室内に設置され、前記トイレ室内に単独で設置されているか前記機器システムのメンバーとして他の何の機器と一緒に設置されているかに関わらず、自己の動作状態を外部へ発信する発信手段を有する１台又は複数台の発信機能付機器と、前記トイレ室内に設置され、前記発信機能付機器からの前記情報信号を受信する受信手段と、受信された情報信号に基づき自己の動作状態を変更することが可能な制御手段とを有する１台又は複数台の受信機能付機器とを備え、前記受信機能付機器の前記制御手段は、前記受信された情報信号を自己の動作状態の変更にどのように利用するかを自律的に決定して、前記受信機能付機器を自動的に動作させる。
【００１１】
発信機能付機器は、同じ環境内に受信機能付機器が設置されているか否かに関知することなしに、自己の状態を示す情報信号を外部に発信する。一方、受信機能付機器は、発信機能付機器が発信する情報信号に基づいて自己の動作形態を変更することができる。結果として、受信機能付機器を発信機能付機器の動作に連携して自動的に動作させることが可能となる。よって、利用者が受信機能付機器を操作しなければならない頻度が減少する。また、発信機能付機器は、単に情報信号を発すればよいだけであり、発信機能付機器と組み合わされる可能性のある受信機能付機器の種類を設計段階で想定して、その可能性ある受信機能付機器の動作を制御するためのプログラム等を発信機能付機器組込んでおく必要が無い。よって、発信機能付機器を安価に提供することが可能となる。
【００１２】
更に、発信機能付機器に予め受信機能付機器を制御するためのプログラム等を組込んでおく必要が無いために、発信機能付機器の開発・設計時点においては予測・準備し得ない要望が将来利用者から発生した場合であっても、その要望機能を組み込んだ受信機能付機器を新たに設計して市場に提供すれば、古い発信機能付機器を有効に生かしたまま、利用者の要望を満たすことが可能である。
【００１３】
また、上記受信機能付機器は、受信された情報信号を自己の動作状態の変更にどのように利用するかを、自律的に決定し、且つ自動的に動作するようになっている。すなわち、上記受信機能付機器において、受信された情報信号に含まれる各種情報の内からどの情報を利用し、どの情報を無視するか、或いは、その情報に基づいて何の動作をどのように変更するか、についての決定は、専ら夫々の受信機能付機器に委ねられており、発信機能付機器からの指示、命令又はリクエストなどに従って受信機能付機器が動作するわけではない。
【００１４】
また、一つの実施形態では、複数の受信機能付機器が存在する場合、同じ情報信号を受けたとしても、各受信機能付機器がそれぞれ独自の態様で、それぞれの動作状態を変更することができる。発信機能付機器は、各受信機能付機器がどのような態様で、情報信号を利用するかについて、全く関知しないでよい。
【００１６】
一つの実施形態では、上記発信機能付機器の内の少なくとも１台は、自己の動作状態又は上記屋内環境の状態を示す情報を外部へ発信する発信手段と、他の機器から発信される情報信号を受信する受信手段と、受信された情報信号に基づき自己の動作状態を変更する制御手段とを有する受発信機能付機器である。この受発信機能付機器をシステムで用いることで、複数機器間の連携動作をより高度に行うことが可能となる。
【００３５】
一つの実施形態では、機器システムの構成メンバーの内の少なくとも１台は、他の機器からの情報信号に基づいて、自己の動作を開始、変更、停止又は一時停止する。この機器は、他の機器の例えば起動、動作変更、停止又は一時停止などに合わせて、自己の起動、動作変更、停止又は一時停止などが行える。よって、利用者に個々の機器を操作させることなく、利便性の高い機器システムを提供することが可能となる。
【００３６】
また、例えば発信機能付機器の停止に合わせて受信機能付機器を停止させることにより、利用者の機器停止忘れ防止を行ったり、或いは、例えば発信機能付機器の異常検知に合わせて受信機能付機器を停止させることで、機器システムの安全性を向上することも可能となる。照明装置や換気装置のように、使用後の利用者の消し忘れが多い機器では、特にこの点が重宝する。
【００３７】
また、例えば発信機能付機器の動作に合わせて受信機能付機器を起動させることにより、受信機能付機器を効果的に利用することが可能となる。例えば、局部洗浄装置の使用時又は予測された使用時刻に合わせて、脱臭装置を起動すれば、脱臭装置を効果的に利用できる。或いは、局部洗浄装置の使用に合わせて、トイレ室の使用を他の人に知らせる使用報知装置を起動したり、局部洗浄装置の異常発生に合わせて、異常を他の人に知らせる異常報知装置を起動したりすることで、それぞれの装置を効果的に利用することができる。
【００３８】
一つの実施形態では、受信機能付機器は、他の機器からの情報信号に基づいて、自己の動作状態を省電力待機状態から通常稼動状態に移行し、もしくは通常稼動状態から省電力待機状態に移行する。よって、他の機器の状態に応じて必要なときには自動的に稼動し、不要な時には自動的に待機状態になって無用な電力消費を無くす、経済的な機器および機器システムを提供することが可能となる。
【００３９】
一つの実施形態では、受信機能付機器は、他の機器からの情報信号に基づいて、自己の消費電力量を変化させる。よって、システム全体の消費電力を過大にならないよう抑制できる。
【００４０】
他の機器が発信する使用有無情報等に基づいて、室内の機器が使用中であることを利用者に、ランプの点灯等によって報知することとすれば、利用者は室内機器の使用状態を容易に知ることが可能となり、有用である。
【００４１】
一つの実施形態では、受信機能付機器が、
(1)  他の機器からの情報信号に基づいて自己の動作状態を変更する連動運転モード、
(2)  他の機器からの情報信号に基づいては自己の動作状態を変更しない個別運転モード、
の内から所望のモードが選択可能である。利用者が任意に、受信機能付機器を、他の機器と連携せずに、完全に独自で動作する機器として利用することが可能となる。
【００４２】
一つの実施形態では、受信機能付機器が、他の機器からの情報信号に基づいて自己の動作状態を変更するための複数の変更方法を有し、その複数の変更方法の中から所望の方法が選択可能である。これにより、システムを構成する機器の動作により多くに自由度を持たせることが可能である。
【００４３】
一つの実施形態では、受信機能付機器において、他機器からの情報信号に応じて動作状態を変更するパターンが複数種類用意され、それらの複数の変更パターンの中から所望の変更パターンが予め選択される。システムのメンバーである機器の数や種類のシステム構成に応じて、受信機能付機器の変更パターンを適宜に選択することで、より利用者の意に促した連携動作を機器に行わせることが可能となる。
【００４４】
一つの実施形態では、受信機能付機器が、
(1)  他の機器からの情報信号に基づいて自己の消費電力を抑制するモード、
(2)  他の機器からの情報信号に基づいては自己の消費電力を抑制しないモード、
の内の所望のモードが選べるようになっている。受信機能付機器が、発信機能付機器とは別の電源ブレーカーに接続されているような場合には、上記(2)のモードを選択する方が好ましい場合がある。
【００６３】
（全体構成…トイレ室内の例）
図１にトイレ室内に設置される機器システムの設置例の外観斜視図を示す。図において、Ａは発信機能付機器である局部洗浄装置、Ｂは受信機能付機器である脱臭温風器、Ｃは受信機能付機器である暖房送風乾燥機、Ｄは受信機能付機器である照明装置である。図示するように局部洗浄装置Ａは便器上に設置され、脱臭温風器Ｂは壁面に沿って設置され、暖房送風乾燥機Ｃ、および照明装置Ｄは天井に設置される。
【００６４】
これらの機器Ａ〜Ｄは、いずれも、他の機器から独立した機器として動作して、その機器本来の使用目的を達成し得るものである。すなわち、これらの機器Ａ〜Ｄは、いずれも、他の機器の存在を前提にすることなしに（つまり、その機器単独で設置されていても、他の機器と一緒に設置されていても、何れの場合にも）、その機器本来の独自の使用目的を達成するよう動作するものである。また、機器Ａ〜Ｄは、いずれも、他の機器から制御を受けて動作をするものではなく、自機の動作はあくまでも自機で自律的に制御するという自律制御型の機器である。このように独立した機器Ａ〜Ｄから構成される本実施形態の機器システムは、本質的に、或る機器とその機器の存在を前提として機能する別の機器との組み合わせから構成される機器システム（例えば、被監視装置とそれを監視することを目的とする監視装置から構成されるシステム、クライアントとクライアントにサービスを提供することを目的とするサーバから構成されるシステム、ホストとホストの指示に従属して動作する周辺機器から構成されるシステム、或いは、被制御装置とそれを制御することを目的とするコントローラから構成されるシステム、等）からは区別されるものである。
【００６５】
さて、本実施形態では、上記の夫々独立した複数の機器Ａ〜Ｄのうち、例えば、局部洗浄装置Ａは発信機能を有しており、その機器の状態又はトイレ室の状態などを示す状態情報をトイレ室内空間などの外部に発信することができる。また、例えば、脱臭温風器Ｂ、暖房送風乾燥機Ｃ及び照明装置機器Ｄなどは、受信機能を有していて、その各々は、他の発信機能付機器（例えば、局部洗浄装置Ａ）から発された状態情報を自主的にキャッチし、その状態情報に応じて自律的に自機の動作状態を制御する。それにより、それらの機器Ａ〜Ｄから構成される機器システム全体の動作状態が、より好ましく制御されることになる。
【００６６】
ここで、注目すべき点は、受信機能付機器（例えば、脱臭温風器Ｂ、暖房送風乾燥機Ｃ及び照明装置機器Ｄ）は、あくまでも「自律的」に自機の動作状態を制御しているのであって、発信機能付機器（例えば、局部洗浄装置Ａなど）からの指示、命令又はリクエストに従っているのではないということである。すなわち、受信機能付機器は、発信機能付機器からの状態情報（これには、例えば、人体検知結果、消費電力、使用頻度予測など様々な種類の状態情報がある）の内のどれを利用しどれを無視するか、及び、それを利用してどの動作をどのように制御するかということを、自機自身で自律的に決定するのである。一方、発信機能付機器（例えば、局部洗浄装置Ａなど）は、何の動作を行なえというような指示、命令又はリクエストを他の受信機能付機器に与えることななく、単に、自機で把握された自機又はトイレ室の状態を示す情報を周囲へ放っているだけ過ぎず、その状態情報が周囲でどのように利用されたか（すなわち、どのような受信機能付機器がトイレ室に存在するのか、その状態情報が受信機能付機器に受信されたか否か、その状態情報を受けた受信機能付機器が何を行なったか、など）という点については一切関知しない。
【００６７】
図２に、図１で示した機器システムの構成ブロック図を示す。
【００６８】
局部洗浄装置の送信部から、自己の動作状態などの情報が発信され、脱臭温風機、暖房換気扇、照明装置に夫々備えられた受信部にて受信される。脱臭温風機、暖房換気扇、照明装置、各機器は受信した情報に基づいて自己の動作形態を変更可能である。
【００６９】
ここで、局部洗浄装置は、状態情報の宛先として特定の受信機能付機器を指定することなく（すなわち、トイレ室に何の受信機能付機器が存在しているか、どの受信機能付機器がその状態情報を受信すべきか、ということは一切に認識せずに）、状態情報をトイレ室空間に発信する。要するに、局部洗浄装置は、状態情報をトイレ室に「放送」するのである。局部洗浄装置は、上述したように、その放送された状態情報が周囲の他の機器に受信されたか否か、及び、その状態情報に応答して周囲の他の機器が何らかの動作を行なうか否といった、他の機器の存在や動作に関しては、全く関知しない。つまり、局部洗浄装置は、他の装置を「制御」することはなく、単に、状態情報を放送するだけである。局部洗浄装置から「放送」された状態情報をどのように取り扱うか（例えば、無視するか利用するか、何の動作にどのように利用するか）は、専ら、脱臭温風機、暖房換気扇、照明装置などの受信機能付機器が自律的に決めるのである。このような局部洗浄装置と他の受信機能付機器との間の連携方法は、従来の制御装置と被制御装置間や、サーバとクライアント間や、ホストと周辺機器間の連携方法のように、一方が他方に対して指示、命令又はリクエストを出して、それに従って他方が自機の動作を変えるという方法とは区別される、特別の連携方法である。
【００７０】
このような特別の連携方法を採用することにより、局部洗浄装置を含む機器システムの構成（例えば、脱臭温風機、暖房換気扇、照明装置の内のどの機器が組み込まれるか）が完全にユーザの意思に委ねられていて、各機器の設計者には予期できないという事情の下において、設計者にとっては、各機器の設計が容易になり、設計の自由度が高まり、また、ユーザにとっては、所望の機器を自由に選んでシステムを組むことができる、という利点が得られる。
【００７１】
また、脱臭温風機、暖房換気扇、照明装置などの各機器には夫々それ自身の操作部も備えられており、受信情報に基づいて自己の動作形態を変更して動作する他に、自己の操作部への入力に従って動作することも可能である。自己の操作部への入力に従って動作する場合は、機器システムの構成メンバーとしてではなく、機器システムから外れた独立した一機器として動作することになる。
【００７２】
（発信機能付機器Ａ…局部洗浄装置の例）
次に発信機能付機器Ａである局部洗浄装置１０について説明する。図３に局部洗浄装置１０の外観を示す斜視図を示す。
【００７３】
図示するように、局部洗浄装置１０は、便器の上に据え付けて使用する便座１２と、便器を使用しないときに便座１２に蓋をする便蓋１４と、局部洗浄装置１０の各種機能に関わる種々の部品が収納されているケーシング１６と、トイレ使用者が局部洗浄装置１０に各種動作を指示するリモコン２０（図１参照）とから構成されている。ケーシング１６の一部には補助操作部１８が設けられていて、トイレ使用者は補助操作部１８を操作することによって、局部洗浄装置１０の動作条件をきめ細かく設定することができる。ケーシング１６は専用の固定金具を用いて便器に取り付けられるようになっていて、便座１２と便蓋１４とは、それぞれケーシング１６に開閉可能に取り付けられている。便器を男子の小便用に使用するときは便座１２と便蓋１４をいずれも上げた状態（「開」の状態）で使用し、便器を大便用あるいは女子の小便用に使用するときは、便座１２のみを下げた状態（「閉」の状態）で使用する。便器を使用しないときには、便座１２と便蓋１４とをいずれも下げた状態にしておけばよい。
【００７４】
トイレ使用者は、リモコン２０あるいは補助操作部１８から局部洗浄装置１０に対して各種の指示を行うことにより、人体局部の洗浄や洗浄後の局部の乾燥、便座の暖房、室内暖房、室内の脱臭等の各種機能（以下では、衛生機能という）を使用できるようになる。
【００７５】
図４は、本実施例の局部洗浄装置１０のケーシング１６内に収納される電装部品の構成ブロック図である。
【００７６】
ケーシング１６の中央部には、温水を噴き出して人体局部の洗浄を行うノズルユニットと、ノズルユニットに温水を供給するための各種バルブ類が収納されている。ノズルユニットの隣には、洗浄後の人体局部を乾燥するために温風を噴き出す温風ユニットが収納されており、温風ユニットの隣には便臭を脱臭する脱臭ユニットが収納されている。補助操作部１８の下方には、室内の暖房を行う室暖ユニットが収納されている。各ユニットにはヒータや、電磁バルブ、モータ等の電動式のアクチュエータが使われており、これら各アクチュエータに電力を供給するＡＣ制御ユニット６００がノズルユニットの上側の空間に収納されている。ＡＣ制御ユニット６００の動作はＤＣ制御ユニット７００によって制御されており、ＤＣ制御ユニット７００は補助操作部１８と室暖ユニットとの間に納められている。また、本実施例の便座１２は、内蔵のヒータによって便座を適温に暖めることが可能であり、便座１２の内部には便座の温度を制御するために暖房便座ユニットが組み込まれている。暖房便座ユニットへの電力の供給もＡＣ制御ユニット６００が行っている。
【００７７】
本実施例の局部洗浄装置１０は、水道管などから水を取り込み、導入された給水は逆止弁と調圧弁と電磁弁を通過した後に熱交換器、流調ユニットを経由してノズルユニットへ供給される。熱交換器のタンク内には電気温水ヒータとタンク内の水温を測定する温水サーミスタとが設けられていて、タンク内の水は常に約４０℃前後に暖められている。
【００７８】
熱交換器内で適度な温度に調温された洗浄水は、流調ユニットに導かれる。流調ユニットは、おしりを洗浄する場合と、ビデとして使用する場合とで、洗浄水の流量を切り替えると同時に、おしり洗浄用のノズルとビデ洗浄用のノズルの切り換えを行うユニットである。
【００７９】
ノズルユニットは、ノズル本体とノズルヘッドから構成されている。ノズルヘッドにはおしり洗浄用ノズルとビデ洗浄用ノズルとが設けられていて、洗浄を行わないときには、ノズルヘッドはノズル本体内のノズル洗浄室に格納されている。
【００８０】
温風ユニットは、洗浄後の人体局部に温風を吹き付けて乾燥させるユニットであり、空気を取り入れて送風するためのシロッコファンと、シロッコファンを回転させるためのファンモータと、ファンからの送風を暖める温風ヒータと、温風の温度を検出するサーミスタとから構成されている。所定のスイッチをトイレ使用者が押すと、シロッコファンが回って温風ヒータで暖められた温風が吹き出し、人体局部の乾燥を行う。サーミスタで検出された温度は前述のＤＣ制御ユニット７００に伝えられ、ＤＣ制御ユニット７００は温風の温度が予め設定された温度になるように、ＡＣ制御ユニット６００を介して温風ヒータを制御している。
【００８１】
室暖ユニットはトイレの室温を暖めるユニットであり、温風ユニットとほぼ同様の構成となっている。
【００８２】
脱臭ユニットは、悪臭成分を吸着する触媒と、便座内の臭気を吸引するシロッコファンと、シロッコファンを回転させるための脱臭モータとから構成されている。トイレ使用者が便座１２に座ると人体検知センサがこれを検知し、所定時間以上すわっていると自動的に脱臭ユニットが起動して、前述した温風ユニットの温風吹き出し口の下側に設けられた臭気取り入れ口から臭気を吸引する。吸引された臭気が触媒に送り込まれると、触媒は臭気を吸着し、触媒の働きによって触媒上に吸着された臭気が分解される。臭気は分解されて無臭化されたのち、無臭排気として排気口から排出される。
【００８３】
暖房便座ユニットは、便座１２を暖めるための便座ヒータと、便座の温度を測定する便座サーミスタとから構成されている。便座サーミスタと着座スイッチの信号は前述のＤＣ制御ユニット７００に伝えられており、ＤＣ制御ユニット７００は、設定されている温度になるように便座１２の温度を制御する。
【００８４】
局部洗浄装置１０のコントローラ部は、ＤＣ制御ユニット７００を中心に、トイレ使用者が操作するリモコン２０と、局部洗浄装置１０の細かな制御内容を設定する補助操作部１８と、ノズルユニット１００等の前述の各ユニットに電力を供給するＡＣ制御ユニット６００とから構成されている。
【００８５】
ＤＣ制御ユニット７００は、ＣＰＵ７０２を中心として、各種の制御プログラムと各種データが記憶されているＲＯＭ７０４と、一時的にデータを記憶するＲＡＭ７０６と、不揮発性メモリ７０８と、内蔵時計７１０と、タイマ７１２と、赤外線を用いてリモコン２０とデータの通信を行い、且つ局部洗浄装置の動作状況を発信する通信回路７１４と、サーミスタや接点スイッチ等の各種周辺機器とのデータのやり取りを司るＰＩＯ７１６などから構成されていて、各部品は互いにバス７１８で接続され、データのやり取りが可能となっている。不揮発性メモリ７０８は、フラッシュメモリ等のＥＥＰＲＯＭと呼ばれるメモリが使用されている。ＥＥＰＲＯＭは、書き込んだデータを非通電状態でも保持することができ、また、電気的な操作によってデータを書き換えることが可能なメモリである。尚、本実施例の局部洗浄装置１０では、専用の内蔵時計７１０を備えているが、ＣＰＵ７０２の機能を用いてソフトウェア的に計時を行ってもよいのはもちろんである。局部洗浄装置１０の電源が入れられると、ＣＰＵ７０２はＲＯＭ７０４から制御用のプログラムやデータを読み出して、局部洗浄装置１０の制御を開始する。
【００８６】
リモコン２０には、おしり洗浄、ビデ洗浄、温風乾燥、室内暖房などの各種ボタンが設けられている。トイレ使用者がこれらのボタンを操作すると、リモコン２０に内蔵された赤外線発光素子から赤外線が発射され、ＤＣ制御ユニット７００の通信回路７１４に、リモコンの操作信号が送信される。ＤＣ制御ユニット７００のＣＰＵ７０２は、通信回路７１４からリモコンの操作信号を受け取って、各種の制御を実行する。
【００８７】
補助操作部１８には、ノズルユニット１００から噴き出す洗浄水の温度や、洗浄後の人体局部を乾燥する温風の温度、便座の温度、室内の温度等を調整するための各種つまみが設けられている。ＤＣ制御ユニット７００のＣＰＵ７０２は、補助操作部１８の各種つまみの設定に基づいて、各種ユニットの詳細な制御内容を決定する。
【００８８】
ＡＣ制御ユニット６００は、前述したノズルユニット１００や、温風ユニット２００等の各種ユニットへの電力の供給を司っている。ＡＣ制御ユニット６００はＤＣ制御ユニット７００と同様、主に半導体によって構成された電気回路である。但しパワートランジスタやサイリスタ等の素子が多く使用され、１００ボルトの交流電気や２４ボルトの直流電気のような、比較的高電圧・大電流の電気を制御することが可能である。ＡＣ制御ユニット６００には、前述の各種ユニットの電磁弁やモータ、ヒータ等の電気機器、例えばノズルユニット１００のバイパス弁１４４やミキシングモータ１２６等が接続されている。
【００８９】
トイレ使用者がリモコン２０に設けられているボタンを操作して、おしり洗浄や、ビデ洗浄、温風乾燥等の各種衛生機能を行うよう指示すると、操作信号がＤＣ制御ユニット７００の通信回路７１４を介してＣＰＵ７０２に伝えられる。ＣＰＵ７０２は受け取った操作信号の内容を判断し、補助操作部１８の設定等も考慮してＡＣ制御ユニット６００に対して指示を出す。ＡＣ制御ユニット６００は、ＤＣ制御ユニット７００の指示に従って、電磁弁やヒータ等の各種電気機器に供給する電流を制御することにより、トイレ使用者の指示に対応した衛生機能が実行される。なお、通信回路７１４に内蔵された赤外線発光素子から温水ヒータ、温風ヒータ、室内暖房ヒータ等のＡＣ負荷の動作状況、電力使用状況等に応じた赤外線信号が発信される。更に、トイレの使用を人体検知センサにて検出して、トイレ使用情報を記憶し、記憶した情報からトイレの使用頻度を算出し、この各制御時間帯の使用頻度情報を所定時間毎（各制御データ枠の少なくとも1時間前）に送信する。
【００９０】
以下に使用頻度の算出方法について詳述する。
【００９１】
トイレの使用を人体検知センサ等にて検出し、その時の時刻を知ることができればトイレ使用情報を検出することができる。トイレの使用を検出した時刻は、ＤＣ制御ユニット７００の内蔵時計７１０により知ることができる。
【００９２】
トイレ使用情報の検出は、主にＤＣ制御ユニット７００によって行う。ＤＣ制御ユニット７００のＰＩＯ７１６には、トイレの使用を検出する各種センサが接続されていて、各種センサからの信号がＰＩＯ７１６を介してＣＰＵ７０２に伝達される。これらセンサによってトイレの使用が検出されると、ＣＰＵ７０２は内蔵時計７１０がトイレの使用時刻を読み出して、後述する所定の処理を行った後、トイレ使用情報として蓄積する。
【００９３】
トイレ使用者はリモコン２０の各種ボタンを操作することによって、衛生装置１０の各種衛生機能を使用することができる。リモコン２０からの信号は、前述したようにＤＣ制御ユニット７００内の通信回路７１４を経由してＣＰＵ７０２に伝達されるので、この信号を検出することによってもトイレの使用を検出することができる。
【００９４】
前述のいずれかの方法によってトイレの使用を検出すると、トイレの使用時刻に関連する情報と共にトイレ使用情報として一旦蓄積し、その後、蓄積したトイレ使用情報から所定の方法によってトイレの使用頻度を算出する。尚、トイレ使用頻度の算出は、実際には、記憶されているトイレ使用情報から過去の各時間帯でのトイレ使用頻度を算出しているのであるが、トイレの使用パターンが特に代わらない限りは、過去の各時間帯でのトイレ使用頻度を算出することは、同時に、今後の各時間帯でのトイレ使用頻度を予測することでもある。このことから、本明細書中ではトイレ使用頻度を算出することをトイレ使用頻度を予測するとも表現している。１日２４時間を４５分刻みで３２個のブロックに分割し、各ブロックにおいてトイレを使用した回数という形態でトイレ使用情報を記憶する。
【００９５】
トイレ使用情報蓄積ルーチンは、電源が投入されて局部洗浄装置１０が稼働中は絶えず動いていて、トイレ使用情報の蓄積を行う。学習データ枠は８日分、すなわち２５６個分のブロックのデータを記憶する不揮発性メモリ７０８上の領域である。学習データ枠の各ブロックには、対応する４５分間に検出されたトイレの使用回数が記憶される。
【００９６】
データの蓄積を開始してから２４時間が経過すると、１日分のトイレ使用情報を学習データ枠に登録する。学習データ枠として８日分のデータを記憶することが可能であり、各データは、昨日の蓄積データ，２日前の蓄積データ，３日前の蓄積データ・・・と、８日前の蓄積データまで記憶されている
【００９７】
「制御データ枠」は、各ブロックには１番から３２番までの通し番号が付されている。実際にはＤＣ制御ユニット７００内のＲＡＭ７０６上に領域が確保され、その領域にデータが記憶される。
【００９８】
制御データ枠の１番目のブロック（以下、ｎ番目のブロックをブロックｎと呼ぶ）の予測データは、学習データ枠のブロック１に蓄積された８日分のデータと、ブロック２に蓄積された８日分のデータとに基づいて求められる。同様に、制御データ枠のブロック２の予測データは、学習データ枠のブロック２の８日分のデータとブロック３の８日分のデータに基づいて求められる。制御データ枠のブロック３２のデータは、学習データ枠のブロック３２のデータとブロック１のデータとに基づいて求める。制御データ枠の位置を学習データ枠に対してブロック半分だけずらしている。
【００９９】
このように、制御データ枠の１つのブロックは、学習データ枠における２列のブロックのデータを使用して求めているので、僅かながら起こり得るトイレ使用時間のズレを吸収することができる。すなわち、トイレ使用者は毎日ほぼ同じ時間にトイレを使用するとしても、厳密に同じ時間に使用するわけではない。トイレを使用する時間がちょうど２つのブロックの境界にあたる場合は、ほぼ同じ時間にトイレを使用しているにもかかわらず、学習データ枠に登録されるトイレ使用情報は異なったデータとなる場合があり得る。かかる場合を想定して、学習データ枠の２列のブロックの値を参照してトイレ使用頻度を予測しているのである。
【０１００】
この予測に基づいて局部洗浄装置の室内暖房用ヒータや温水ヒータの通電を制御しているのであるが、この情報は極めて有用でトイレ室内に設置される受信機能付機器と情報を共有することでより快適なトイレ環境を必要最低限の電力で達成することができる。なお、本実施例では予測結果を発信するようにしたが、学習データそのものを送信し、各受信機能付機器により予測を行なうようにしても良い。
【０１０１】
（受信機能付機器Ｂ…脱臭温風器の例）
次に受信機能付機器Ｂである脱臭温風器について説明する。図５は脱臭温風器の断面図である。室内壁面２９９に埋め込まれた脱臭温風器２８０の吸入口２６０内面には光触媒脱臭装置２０１が装着されている。
【０１０２】
図６は本発明の一実施形態に係る光触媒脱臭装置の構成を示した図である。
【０１０３】
光触媒脱臭装置２０１は、空気中の臭気物質を吸着・分解する光触媒エレメント２１１、光触媒エレメント２１１に含有される光触媒を励起するための光源２１２、光源の点灯状態を調整する光源制御部２７１、光源制御部２７１による光源２１２の点灯状態を制御する運転制御部２７２、運転制御部に接続された、光触媒エレメント２１１を通過する気流の風速を計測する風速センサー２７３、装置周囲の照度を計測する照度センサー２７４、運転選択スイッチ２７５、および、脱臭装置への給電を行う給電線を接続する給電接続部２７６から構成される。
【０１０４】
薄型の長方体状を成す脱臭装置２０１の最大面積を有する対向する２面に、各々開口部が設けられており、臭気物質を含む気流を一方の開口部から他方の開口部に向けて通過させることにより、脱臭装置２０１の光触媒エレメント２１１中を気流が通過し、気流中の臭気物質が光触媒エレメント２１１に含有される光触媒乃至は吸着剤に吸着される。光触媒を励起するための光源２１２を点灯することにより、光触媒乃至は吸着剤に吸着された臭気物質が分解され、無臭化される。
【０１０５】
図７は、本実施形態の光触媒脱臭装置の光触媒エレメント２１１と光源２１２の構成を示した図である。
【０１０６】
光触媒エレメント２１１は、無機質繊維シートの表裏両面に光触媒および吸着剤が担持された触媒シート２１４を一定の間隔を隔てて積層し、触媒シート固定手段２１３により固定された構造を有する。
【０１０７】
触媒シート２１４には切欠部２１５が設けられており、この切欠部２１５に光触媒励起用光源２１２ａ〜２１２ｃとして、棒状の直径φ４ｍｍ、発光ピーク波長３８０ｎｍの冷陰極型蛍光ランプが３本、配置されている。
【０１０８】
光触媒エレメント２１１を上記の構成とすることによって、触媒シート２１４の全面に、光触媒励起用光源２１２ａ〜２１２ｃにより波長４００ｎｍ以下の光を照射することが可能となる。
【０１０９】
触媒シート２１４に担持された光触媒に波長４００ｎｍ以下の光を照射することによって、光触媒表面に正孔が発生し（励起され）、光触媒表面の吸着水から水酸基ラジカルを生成する。生成された水酸基ラジカルにより、光触媒乃至は吸着剤に吸着された臭気物質を酸化、分解し、臭気物質を無臭化することが可能となる。
【０１１０】
局部洗浄装置、便器装置の脱臭機能部に一般的に利用されている酸化マンガンを主成分とした脱臭触媒は、トイレ空間で主に糞便から発生する硫化水素、メチルメルカプタン、等の硫黄系臭気物質の無臭化に対しては実用上充分な効果を発現するが、トイレ空間で主に尿から発生するアンモニア、トリメチルアミン、等の窒素系臭気物質に対しては充分な効果を発現しない。
【０１１１】
本発明の脱臭温風機２８０では、脱臭機能部に光触媒を用いているので、光触媒により生成する水酸基ラジカルによってアンモニア、トリメチルアミン、等の窒素系臭気物質を脱臭することが可能となる。
【０１１２】
本実施形態の光触媒脱臭装置の触媒シート２１４には、光触媒としてアナタース型の結晶構造を有する酸化チタン（ＴｉＯ2）が、吸着剤として粒状活性炭が、混合して担持されているが、光触媒は酸化チタンに限定されるものではなく、酸化タングステン（ＷＯ3）、酸化亜鉛（ＺｎＯ）、などを用いることも可能である。また、吸着剤も粒状活性炭に限定されるものではなく、各種のゼオライト、粘土系鉱物、などを用いることも可能である。
【０１１３】
脱臭温風器２８０は、送風機２３０により、室内の空気をスリット状に開口した吸入口２６０より吸入し、熱交換器２８１により温度調整を行い、吸入口同様にスリット状に開口した送風口２５０より室内に送風することにより、室内の暖房を行う。送風機２３０は、脱臭温風器の運転制御部２２１によりその動作を制御される。
【０１１４】
脱臭温風器への給電は前述した局部洗浄装置１０と同一のブレーカーを解して商用電源から供給される。
【０１１５】
図８は、本実施形態の光触媒脱臭装置の運転フローチャートである。
【０１１６】
本実施形態の光触媒脱臭装置２０１は電源線より給電を受けると運転を開始する（Step.111）。脱臭装置２０１の運転制御部２７２に接続された、運転選択スイッチ２７５によって自動運転モードが選択されると、運転制御部２７１は自動運転を開始する（Step.211）。
【０１１７】
運転制御部２７２に接続された赤外線受光素子２７３により局部洗浄装置１０から発信された人体検知信号を受信すると、運転制御部２７２は脱臭装置２０１の運転（光源制御部２７１による光源２１２の点灯）を開始する（Step.311）。
【０１１８】
運転制御部２７２に接続された、照度センサー２７４により脱臭装置２０１周辺の照度が所定の値（２ルクス）未満であると、運転制御部２７２は光源制御部２７１により光源２１２の点灯照度を低下させる、漏光抑制運転を実行する（Step.411、Step.521）。漏光抑制運転に際して光源制御部２７１は、脱臭装置２０１の３本の光源２１２ａ、２１２ｂ、２１２ｃの内、２１２ａ、２１２ｃの2本を点灯する。また、点灯時の光源電流は通常運転時の８０％に抑制される。
【０１１９】
通常運転時には、漏光抑制運転と同様に２１２ａ、２１２ｃの２本を点灯するが、漏光抑制運転時には点灯電流が８０％に抑制されているため、光源輝度が低下し、通常運転に比べて光源の点灯照度が低下する。このため、空調機２８０のスリット状の吸入口２６０を透過して漏光する光源光を低減することが可能となり、吸入口２６０周辺が青白く点灯することによる利用者への不快感を低減することができる。
【０１２０】
尚、フローチャート中のStep.411への入力信号としては、本実施形態の脱臭装置２０１では照度センサー２７４による入力信号を用いたが、時計タイマーによる所定時刻を漏光抑制運転開始の入力信号として用いても良い。
【０１２１】
運転制御部２７２に接続された、照度センサー２７４により脱臭装置２０１周辺の照度が所定の値（２ルクス）以上であると、運転制御部２７２は漏光抑制運転を終了（Step.621）し、光源制御部２７１により光源２１２の点灯照度を増大させる、回復運転を実行する（Step.721）。回復運転に際して光源制御部２７１は、脱臭装置２０１の３本の光源２１２ａ、２１２ｂ、２１２ｃ全てを点灯する。また、点灯時の光源電流は通常運転時の１２０％に増大される。
【０１２２】
通常運転時に比べて点灯電流が１２０％に増大されることにより、光源輝度が増大すると共に、点灯本数が増加しているため、通常運転に比べて光源の点灯照度が増大し、脱臭装置２０１の光触媒エレメント２１１への点灯光照射強度が増大され、光触媒の臭気物質分解能力が増大する。このため、漏光抑制運転時に光触媒エレメント２１１に吸着、蓄積された臭気物質を分解することが可能となる。
【０１２３】
回復運転は、運転制御部２７２に内蔵された計時タイマーが、回復運転開始後３０分経過を計時すると回復運転は終了される（Step.821）。
【０１２４】
フローチャート中のStep.411において、照度センサー２７４により脱臭装置２０１周辺の照度が所定の値（２ルクス）以上であり、かつ風速センサー２７３により光触媒エレメント２１１を通過する気流の風速が０．８m／秒以上１．５m／秒未満であることが検知されると、通常運転が実行される（Step.411、Step.511、Step.611）。
【０１２５】
通常運転に際して、光源制御部２７１は脱臭装置２０１の３本の光源２１２ａ、２１２ｂ、２１２ｃの内、２１２a、２１２cの２本を点灯する。
【０１２６】
フローチャート中のStep.511において、風速センサー２７３により光触媒エレメント２１１を通過する気流の風速が０．８m／秒以上１．５m／秒未満、以外であることが検知されると、臭気物質量対応運転が実行される（Step.511、Step.631）。
【０１２７】
臭気物質量対応運転開始に際し、風速センサー２７３により光触媒エレメント２１１を通過する気流の風速が１．５m／秒以上であることが検知されると、高臭気対応運転が実行される（Step.731、Step.831）。
【０１２８】
高臭気対応運転に際して光源制御部２７１は、脱臭装置２０１の３本の光源２１２ａ、２１２ｂ、２１２ｃ全てを点灯する。
【０１２９】
通常運転時に比べて光源の点灯本数が増加しているため、通常運転に比べて光源の点灯照度が増大し、脱臭装置２０１の光触媒エレメント２１１への点灯光照射強度が増大され、光触媒の臭気物質分解能力が増大する。このため、光触媒エレメント２１１に速い速度で臭気物質が供給されても臭気物質を分解することが可能となる。
【０１３０】
臭気物質量対応運転開始に際し、風速センサー２７３により光触媒エレメント２１１を通過する気流の風速が０．８m／秒未満であることが検知されると、低臭気対応運転が実行される（Step.731、Step.832）。
【０１３１】
低臭気対応運転に際して光源制御部２７１は、脱臭装置２０１の３本の光源２１２ａ、２１２ｂ、２１２ｃの内、２１２ａ、２１２ｃの2本を点灯する。また、点灯時の光源電流は通常運転時の８０％に抑制される。
【０１３２】
通常運転時に比べて点灯電流が８０％に抑制されることにより、光源輝度が低下しているため、通常運転に比べて光源の点灯照度が低下し、脱臭装置２０１の光触媒エレメント２１１への点灯光照射強度が低下され、光触媒の臭気物質分解能力が低下するが、光触媒エレメント２１１を通過する気流風速が遅く、光触媒エレメント２１１への臭気物質の供給速度が低いため、臭気物質分解能力を低下させても問題とはならない。光源の点灯照度を低下することにより、装置の消費電力を低下することが可能となると共に、光源の寿命を延長することも可能となる。
【０１３３】
尚、フローチャート中のStep.311への入力信号としては、本実施形態の脱臭装置２０１では赤外線受光素子２７３による入力信号（人体がいるときに臭気が発生するため）を用いたが、脱臭装置２０１の周辺の臭気を計測する臭気センサーによる入力信号を用いても良い。また、人体検知情報ではなく、使用履歴即ち予測データを赤外線受光素子２７３を介して入力し、そのデータに基づいて動作させるようにしても良い。更には局部洗浄装置１０の脱臭ユニットの動作信号を赤外線受光素子２７３を介して入力し、その入力信号を用いるようにしても良い。
【０１３４】
また、局部洗浄装置１０からの電力使用量に関する情報を赤外線受光素子２７３で受信した際には、熱交換器２８１への通電量を抑制してブレーカーが落ちない様に制御するようにしても良い。
【０１３５】
更に、局部洗浄装置１０からの信号ではなくリモコン２０からの信号を受光素子２７３で受信するようにしても良い。
【０１３６】
図９は、本発明の一実施形態に係る脱臭温風器の操作部を示した図である。
【０１３７】
電源スイッチ１００１により機器への電源入遮断が行われ、運転選択スイッチ１００２により、他の機器が発信した情報に基づいて自己の動作形態を変更する「連動運転モード」と、他の機器の情報によらず自己の操作部への利用者の指示入力に基づいて動作する「個別運転モード」とを選択することが可能であり、「連動運転モード」が選択されている場合は、ＬＥＤから成る連動運転選択表示部１００７が点灯し、利用者に選択モードを知らせることができる。
【０１３８】
運転選択スイッチ１００２により「個別運転モード」が選択されている場合には、脱臭温風器の動作指示は、温風選択スイッチ１００３、脱臭運転選択スイッチ１００４とにより行う。
【０１３９】
温風選択スイッチ１００３は循環式の選択スイッチで、スイッチを押す毎に、「温風切」→「温風弱」→「温風強」→「温風切」→…の順に温風動作を選択することが可能である。「温風切」が選択された場合は温風脱臭器のヒータは動作せず、送風風量は約０．６ｍ３／分に調整され、「温風弱」が選択された場合は２００Ｗ相当のヒータが動作し、送風風量は約０．３ｍ３／分に調整され、「温風強」が選択された場合は４００Ｗ相当のヒータが動作し、送風風量は約０．６ｍ３／分に調整される。
【０１４０】
脱臭運転選択スイッチ１００４も循環式の選択スイッチで、スイッチを押す毎に、「脱臭入」→「脱臭切」→「脱臭入」→…の順に脱臭運転を選択することが可能である。「脱臭入」が選択された場合には、脱臭温風器の脱臭機能部に備えられた光触媒励起用紫外線ランプが点灯され、「脱臭切」が選択された場合には点灯されない。
【０１４１】
パワーセーブ選択スイッチ１００５は、他の機器が発信した情報に基づいて自己の動作形態を変更する「連動運転モード」における動作形態を選択するスイッチである。
【０１４２】
運転選択スイッチ１００２により「連動運転モード」が選択され、パワーセーブ選択スイッチ１００５により「パワーセーブ入」が選択されている場合は、他の機器が発信した情報に基づいて自己の動作形態を変更する際に、他の機器の消費電力変化に連携して、自己の消費電力を変化させる動作を行う。（具体的には、温風運転モードを変更する。）
運転選択スイッチ１００２により「連動運転モード」が選択され、パワーセーブ選択スイッチ１００５により「パワーセーブ切」が選択されている場合は、他の機器が発信した情報に基づいて自己の動作形態を変更する際に、他の機器の消費電力変化に連携して、自己の消費電力を変化させる動作は行わない。
【０１４３】
尚、運転選択スイッチ１００２により「個別運転モード」が選択されている場合は、パワーセーブ選択スイッチ１００５の選択位置は意味を成さない。
【０１４４】
また、パワーセーブ選択スイッチ１００５の選択によらず、運転選択スイッチ１００２により「連動運転モード」が選択されている場合には、他の機器が発信する情報を受信して脱臭温風器が省電力待機状態から動作状態に移行する、もしくは動作状態から省電力待機状態へと移行する連携動作は実行される。
【０１４５】
優先度選択スイッチ１００６も、他の機器が発信した情報に基づいて自己の動作形態を変更する「連動運転モード」における動作形態を選択するスイッチである。
【０１４６】
運転選択スイッチ１００２により「連動運転モード」が選択され、優先度選択スイッチ１００６により「優先度２」が選択されている場合は、他の機器が発信した情報に基づいて自己の消費電力を変化させる動作において、自己の消費電力が３００Ｗ以下となるよう動作を変更する。本脱臭温風器では、「温風強」運転の場合には「温風弱」に変更する。
【０１４７】
運転選択スイッチ１００２により「連動運転モード」が選択され、優先度選択スイッチ１００６により「優先度３」が選択されている場合は、他の機器が発信した情報に基づいて自己の消費電力を変化させる動作において、自己の消費電力が１００Ｗ以下となるよう動作を変更する。本脱臭温風器では、「温風強」もしくは「温風弱」運転の場合には「温風切」に変更する。
【０１４８】
尚、運転選択スイッチ１００２により「個別運転モード」が選択されている場合は、優先度選択スイッチ１００６の選択位置は意味を成さない。
【０１４９】
また、優先度選択スイッチならびに選択された優先度に応じた機器の動作を、一機器の動作としてではなく、機器システムを構成する機器に共通の動作と定義すれば、例えば、利用者が他の機器の情報に基づいて自己の消費電力を調整しない、最大消費電力６００Ｗの情報発信機器と、優先度選択スイッチを有する最大消費電力５００Ｗの機器２台と、を同一の容量１５Ａの電源ブレーカーに接続する場合において、優先度選択選択スイッチを有する機器の優先度を一方は「優先度２」、他方は「優先度３」と選択しておけば、連携動作において夫々の消費電力は３００Ｗおよび１００Ｗに抑制されるので、電源容量を越えずに３台の機器を利用することなども可能となる。
【０１５０】
（受信機能付機器Ｃ…暖房送風換気扇の例）
図１０は、本発明の受信機能付機器の一例である暖房送風換気扇（以下暖房装置本体と言う）の一実施形態を示す構成図である。
【０１５１】
暖房装置本体は、室内ユニット６と屋外ユニット７で主に構成され、図示のように、トイレの屋外と接する面の壁１に設けた貫通口２に、ダクト３を挟むようにして、トイレ側に室内ユニット６を、屋外側に屋外ユニット７が設置されている。
【０１５２】
また、操作部としてのリモコン２０は局部洗浄装置１０のリモコンと共用とされ、暖房装置本体の操作を行う。この際、リモコン２０と暖房装置本体との通信は、有線とすることもできる。
【０１５３】
図１１は、暖房装置本体の内部を示す構成図である。
【０１５４】
室内ユニット６は、室内に開口した吸込口８と吹出口９を連通する循環風路１００内に設置した循環用ファン１１０と、吸込口８から吸込んだ室内の空気を、循環風路１００内の吹出口９に近い位置に設置した定格電圧１００Ｖの電気式セラミックヒータであるヒータ１２０とを備えている。循環用ファン１１０が作動すると、吸込口８から吸込んだ空気がヒータ１２０で温められ、吹出口９より温風として室内に供給される。
【０１５５】
屋外ユニット７は、吸込口８と屋外に開口した排気口（図示しない）にダクト３を介して連通する換気風路１４０内に設置した換気用ファン１５０と、リモコン２０からの信号により局部洗浄装置１０と同一のブレーカーから電力を供給して循環ファン１１０、換気用ファン１５０、ヒータ１２０等の動作を制御する制御部３１を備えている。換気用ファン１５０が作動すると、吸込口８から吸込んだ空気がダクト３を介して換気風路１４０を通り、排気口（図示しない）より屋外に排気される。
【０１５６】
また、屋外ユニット７外部下方には、暖房装置が消費している電力の制限値、換言すれば暖房装置が消費できる最大の電力量を複数に切替える切替手段としての切替スイッチ３３が設けられている。本実施形態においては、切替スイッチ３３により暖房装置の消費電力の制限値として２００Ｗと４００Ｗに切替えるように構成され、暖房装置の設置前の初期設定として４００Ｗに設定されていて、制御部３１は暖房装置の消費電力が４００Ｗを超えないように循環用ファン１１、換気用ファン１５、ヒータ１２等の動作を制御する。
【０１５７】
図１２は、本発明に係る暖房装置の一実施形態を示す制御ブロック図である。
【０１５８】
制御部３１は、配電盤３５から電力を供給してリモコン２０からの信号により循環用ファン１１０及びヒータ１２０などをコントロールする。制御部３１は、リモコン２０から換気運転開始の信号を受けた場合には、換気用ファン１５０に作動開始の指令を出し、図８に示した室内の空気が換気用ファン１５０により吸込まれて屋外に排気される。また、リモコン２０から暖房運転開始の信号を受けた場合には、循環用ファン１１０に作動開始の指令を出し、更に、ヒータ１２０に通電することにより、室内の空気が循環用ファン１１０に吸込まれた後、ヒータ１２０で温められて温風が室内に供給されて室内を暖房する。
【０１５９】
更にまた、リモコン２０において乾燥運転開始の信号を受けた場合には、換気用ファン１５０とともに循環用ファン１１０に作動開始の指令を出し、ヒータ１２０に通電することにより、室内の多湿な空気が換気用ファン１５０によって屋外に排出されると同時に、室内の空気が循環用ファン１１０に吸込まれた後、ヒータ１２０で温められて温風が室内に供給されて室内を乾燥させる。
【０１６０】
また、リモコン２０において涼風運転開始の信号を受けた場合には、換気用ファン１５０とともに循環用ファン１１０に作動開始の指令を出し、室内の多湿な空気が換気用ファン１５０によって屋外に排出されると同時に、ヒータ１２０には通電せずに循環用ファン１１０により吹出口９より風が強く吹出す。
【０１６１】
また、制御部３１は、暖房装置の消費電力量が切替手段３３で設定された値以下になるように管理している。例えば、全体の消費電力量が切替手段３３で設定された値を超えそうな場合は、ヒータ１２への指令電流値を抑制する。切替手段３３で切替えられる値は、例えば２００Ｗ、４００Ｗというように２段階に切替可能であり、暖房装置の設置前の初期設定として、消費電力が高い４００Ｗに設定されていて、現在契約している電力又は電流に応じて消費電力量を下げたい場合には、容易に２００Ｗに変更可能なスイッチで構成されている。
【０１６２】
なお、局部洗浄装置１０からの情報だけでなく、脱臭暖房装置からの電力使用量等の情報をも受信できるように、脱臭暖房装置に赤外線発光素子及び動作状態を発信するためのプログラムを組み込んでおき、局部洗浄装置１０と脱臭暖房装置との赤外線の搬送周波数を同一にしておいても良い。
【０１６３】
逆に脱臭暖房装置へ動作状態を発信するための赤外線発光素子及び動作状態を発信するためのプログラムを組み込んでおくようにしてもよい。
【０１６４】
また、局部洗浄装置、脱臭暖房装置、暖房送風換気扇のいずれにも動作状態を発信するためのプログラム及び赤外線発光素子を組込んでおき、複数の機器が発信する動作情報を各機器で共有するようにしても良い。この場合、各機種の連携方法を設定するクラス設定スイッチを設け、クラス１の機器は動作状態を発信するだけ（本発明の発信機能付機器）、クラス２の機器はクラス１の機器の動作状態を受信すると共に、自己の動作状態を発信し（本発明の受発信機能付機器）、クラス３の機器は動作状態を受信するだけ（本発明の受信機能付機器）、としても良い。
【０１６５】
図１３から図１５に、本発明の一実施形態に係る機器システムの運転フローチャートを示す。システムは、図１および図２に示した発明と同一の構成を有する。尚、機器間の情報伝達は赤外線を用いて成されている。
【０１６６】
本実施形態の局部洗浄装置、暖房送風換気扇、脱臭温風器、照明装置から構成される機器システムの、代表的な一連の連携動作をフローチャートに基づいて説明する。
【０１６７】
局部洗浄装置、暖房送風換気扇、および脱臭温風器は、電源投入後、一定時間（一時間）以上、操作部およびリモコンへの入力乃至は他の機器からの情報送信が無い場合には、操作部のＬＥＤ表示部などを消灯する、省電力待機状態へ移行する。
【０１６８】
暖房送風換気扇、脱臭温風器、および照明装置の各機器は、夫々の選択スイッチにより「連動運転モード」が選択されている。
【０１６９】
局部洗浄装置は、自分の使用履歴から推算した使用開始時刻の１時間前に、「使用開始予告信号」を発信し、省電力待機状態を解除する。
【０１７０】
暖房送風換気扇は、「使用開始予告信号」を受信して、省電力待機状態を解除して、強モード（４００Ｗ）暖房運転に移行する（但し、予め暖房送風換気扇に入力された設定温度以上である場合には、暖房運転を行わない）。
【０１７１】
このように、本発明の機器システムによれば、システム中の一機器の使用開始予測データ、並びに計時結果を共有することによって、利用者の使用開始前に必要な機器を動作させることが可能となる。（本実施例では、事前暖房動作）もちろん、脱臭温風器に「使用開始予告信号」を受信した場合に暖房運転を開始するよう、予めプログラムしておけば、脱臭温風器により事前暖房を行うことも可能となる。
【０１７２】
室内に利用者が入ると、局部洗浄装置に備えられた人体検知センサー（測距センサー）が、予め設定された値（Ａ値とする）を検知し、「入室検知信号」を発信し、便蓋を開ける。
【０１７３】
脱臭温風器は、「入室検知信号」を受信して、省電力待機状態を解除して、強モード（４００Ｗ）暖房脱臭運転に移行する（但し、予め暖房送風換気扇に入力された設定温度以上である場合には、暖房運転を行わず、脱臭運転のみ行う）。
【０１７４】
また、照明装置は、「入室検知信号」を受信して、点灯する。
【０１７５】
このように、本発明の機器システムによれば、システム中の一機器のセンサー検出値を共有することによって、必要な機器の動作を開始することが可能となる。
【０１７６】
局部洗浄装置は「入室検知信号」を発信し、便蓋を開けた後に、便座並びに洗浄水の予備加熱動作に移行するが、移行する前に予測電力使用量情報である「低電力使用信号」を発信する。
【０１７７】
「低電力使用信号」を受信した、暖房送風換気扇ならびに脱臭温風器は、夫々、強モード運転から弱モード運転に移行して、自己の消費電力を抑制する。
【０１７８】
このように、本発明の機器システムによれば、システム中の一機器の予測電力使用量情報に基づいて他の機器が消費電力を抑制する動作に移行することによって、複数の機器を同一の電源ブレーカーに接続してもその電気容量を越えないように運転することが可能となる。
【０１７９】
利用者が便座に座るなどして、便座により近接すると、局部洗浄装置に備えられた人体検知センサー（測距センサー）が、予め設定された値（Ｂ値とする）を検知し、「使用開始信号」を発信する。
【０１８０】
「使用開始信号」を受信した暖房送風換気扇は、暖房運転を停止、予め設定された温度以上である場合には送風運転に移行する。
【０１８１】
天井面に設置された暖房換気扇の温風は室内下方に向けて吹出しているので、利用者が便座に近接した場合は、頭部が熱く感じられ不快であるために、「使用開始信号」の受信により停止するようプログラムされている。
【０１８２】
このように、本発明の機器システムによれば、システム中の一機器のセンサー検出値を共有することによって、必要な機器の動作を停止することが可能となると共に、利用者のより近くに有って利用者の周辺環境、乃至は利用者の動作を検出することが可能な機器（本実施例での局部洗浄装置）による情報を、利用者からは離れた位置に有る機器（本実施例では暖房送風換気扇）と共有することによって、システムを構成する機器全てを利用者の意に促して動作させることが可能となる。
【０１８３】
次に局部洗浄装置は、便座加熱動作、脱臭運転動作に移行するが、移行する前に予測電力使用量情報である「中電力使用信号」を発信するが、本実施例では「中電力使用信号」を利用する機器はない。
【０１８４】
このように、本発明の機器システムによれば、送信機能付機器は不特定の機器に対して情報を発信し、受信機能付機器は自己の動作形態変更に有用な情報にのみ対応するようにプログラムされているので、システムを構成する機器の台数、種類の変更に対して柔軟性を有している。
【０１８５】
局部洗浄装置の操作部乃至はリモコンに洗浄動作指示が入力されると、局部洗浄装置は「高電力使用信号」を発信し、温水洗浄動作を実行する。
【０１８６】
「高電力使用信号」を受信した、暖房送風換気扇は送風運転を行っている場合には送風運転を停止し、脱臭温風器は暖房・脱臭運転乃至は脱臭運転を停止する。
【０１８７】
局部洗浄装置の操作部乃至はリモコンに洗浄停止指示が入力されると、局部洗浄装置は温水洗浄動作を停止し、「中電力使用信号」を発信する。
【０１８８】
「中電力使用信号」を受信した脱臭温風器は、弱暖房・脱臭運転乃至は脱臭運転を再開する。
【０１８９】
利用者が便座から立ち上がるなどして、便座により離れると、局部洗浄装置に備えられた人体検知センサー（測距センサー）が、予め設定された値（Ｂ値とする）の検知状態から不検知状態に移行し、「使用終了信号」を発信し、便座加熱、脱臭運転を停止する。
【０１９０】
「使用終了信号」を受信した脱臭温風器は、弱暖房・脱臭運転乃至は脱臭運転を停止する。
【０１９１】
利用者が退室すると、局部洗浄装置に備えられた人体検知センサー（測距センサー）が、予め設定された値（Ａ値とする）の検知状態から不検知状態に移行し、「退室検知信号」を発信し、計時が開始される。
【０１９２】
「退室検知信号」を受信した、暖房送風換気扇は換気運転を開始し、脱臭温風器は省電力待機に移行し、照明装置は消灯する。
【０１９３】
局部洗浄装置は「退室検知信号」を発信後から計時を開始し、３０分が経過すると、「３０分経過信号」を発信し、省電力待機に移行する。
【０１９４】
「３０分経過信号」を受信した、暖房送風換気扇は換気運転を停止し、省電力待機に移行する。
【０１９５】
このように、上述の機器システムによれば、システム中の一機器のセンサー検出値を共有することによって、機器の動作を停止乃至は省電力待機に移行することが可能となるので、利用者の消し忘れなど乃至は消し忘れによる無用な電力の消費を防止することが可能となる。
【０１９６】
図１６〜図２１は、本発明の一実施形態にかかる別の機器システムのフローチャートである。
【０１９７】
この機器システムは、トイレ室に設置された局部洗浄装置（又は便器装置）と暖房換気扇と照明装置、並びに、トイレ室の外(例えば、トイレ室と出入り口が繋がる廊下や洗面所など)に設置されたブース外温度測定装置から構成される。局部洗浄装置とブース外温度測定装置は発信機能をもち、一方、暖房換気扇と照明装置は受信機能をもつ。なお、局部洗浄装置とブース外温度測定装置が電気的に接続されていて、ブース外温度測定装置で検出されたブース外温度情報が局部洗浄装置に受け取られ、局部洗浄装置が、自己の情報やブース外温度情報などをトイレ室内へ赤外線などで発信するようになっていてもよい。
【０１９８】
図１６〜２１には、局部洗浄装置やブース外温度測定装置からの情報を受信する暖房換気扇と照明装置の動作フロー例だけが示されている。局部洗浄装置とブース外温度測定装置の動作フローは省略されている。
【０１９９】
以下、暖房換気扇と照明装置の動作を対比しながら説明する。
【０２００】
図１６に示すように、暖房換気扇も照明装置も、それぞれ電源投入された後、利用者の操作によって運転モード選択タスクに入ると、利用者により連動運転スイッチがオン状態されれば、局部洗浄装置等と連携して稼動する連動運転モードになり、オフ状態にされれば、他の装置から完全に独立して個別に稼動する個別運転モードになる。その後、何のイベントも発生しなければ、暖房換気扇も照明装置も、省電力待機状態になる。続いて、暖房換気扇のルーチンも照明装置のルーチンも図１７へ進む（５０１，６０１）。
【０２０１】
図１７に示すように、暖房換気扇は、ターミナル５０１以下のフローに示すように、例えば周期的に時計修正タスクに入り、局部洗浄装置から時刻情報が来たか否か（つまり、その情報信号が物理的に受信されたか否か）をチェックし、それが来れば受信して（つまり、動作制御に利用するために受け入れて）、受信した時刻情報と暖房換気扇の内蔵時計の時刻を比較して、違っていれば内蔵時計の時刻を修整して局部洗浄装置のそれと一致させる。
【０２０２】
一方、照明装置は、ターミナル６０１以下のフローに示すように、時計修正タスクは持たず、よって、時刻情報が来ても内部の論理回路はこれを無視して利用しない。続いて、暖房換気扇のルーチンも照明装置のルーチンも図１８へ進む（５０２、６０２）。
【０２０３】
図１８に示すように、暖房換気扇は、ターミナル５０２以下のフローに示すように、例えば周期的に「朝使用予告」判断タスクに入り、局部洗浄装置から使用予告情報が来たか否かをチェックする。この使用予告情報は、局部洗浄装置の前述した予測処理の結果として得られる、現在の時間帯に利用者がトイレを使用するであろうという使用予告を示している。その使用予告情報が来ていれば、暖房換気扇は、その使用予告情報を受信した時刻を内蔵時計で調べ、その時刻が朝の寒い所定時間帯（例えば、６時〜９時）に入っているかどうかをチェクする。この時間帯チェック結果がイエス（朝６時〜９時に使用予告情報を受信した）ならば、暖房換気扇のルーチンは図１９へ進む（５０３）。また、上記チェック結果がノーならば、或いは、使用予告情報が来なければ、暖房換気扇は、まだ暖房運転を行なわないと決定して、そのルーチンは図２１へ進める（５１１，５１２）。
【０２０４】
一方、照明装置は、ターミナル６０２以下のフローに示すように、使用予告判断のタスクは持たず、よって、使用予告情報が来ても、これを無視して利用しない。続いて、照明装置のルーチンは図１９へ進む（６０３）。
【０２０５】
図１９に示すように、暖房換気扇は、図１８の「朝使用予告」判断タスクの時間帯チェック結果がイエスだったならば、ターミナル５０３以下のフローに示すように、「事前暖房」実施判断タスクに入り、ブース外温度検出装置からブース外温度情報が来たか否かを周期的にチェックする。ブース外温度情報が来ると、これを受信して、そのブース外温度と暖房換気扇の内蔵サーミスタの温度(つまり、トイレ室内の温度)とを比較し、その温度比較の結果、トイレ室内の温度の方がトイレ室外の温度より例えば５度以上低ければ、事前暖房を実行すると決定して、そのルーチンを図２０へ進める（５０４）。一方、上記温度比較の結果、トイレ室内の温度の方が上記程はトイレ室外の温度より低くない場合には、事前暖房を実行しないと決定して、そのルーチンを図２１へ進める（７０１）。
【０２０６】
また、ブース外温度情報が来ない場合（典型的には、ブース外温度検出装置が設置されていない場合）には、暖房換気扇は、内蔵サーミスタの温度（トイレ室内温度）をチェックし、それが例えば２０℃以下なら、事前暖房を実行すると決定して、そのルーチンを図２０へ進め（５０５）、一方、２０℃より高ければ、事前暖房を実行しないと決定して、そのルーチンを図２１へ進める（５１３）。
【０２０７】
一方、照明装置は、ターミナル６０３以下のフローに示すように、ブース外温度情報を利用するタスクは持たず、よって、ブース外温度情報が来ても、これを無視して利用しない。続いて、照明装置のルーチンは図２１へ進む（６０４）。
【０２０８】
図２０に示すように、暖房換気扇は、上述の「事前暖房」実施判断タスクでブース外温度情報に基づいて事前暖房を行なうと決定した場合、５０４以下のフローに示すように、内外温度偏差制御「事前暖房」タスクに入り、まず、省電力待機を解除し、強（例えば、１２００W）暖房運転を開始し、その後、暖房運転の効果がある程度現れるのに必要な所定時間が過ぎた段階で、局部洗浄装置から利用者の入室検知情報が来たかどうかを周期的にチェックし、来ないならば、続いて、ブース外温度情報（ブース外温度検出装置から定期的に発信されている）を受信して、このブース外温度と内蔵サーミスタのトイレ室内温度とを比較する。この温度比較の結果、トイレ室内の温度がトイレ室外の温度より低く、かつその温度差が例えば２度より大きければ、暖房換気扇は事前暖房運転を続行し、その後、トイレ室内の温度が上昇してトイレ室外の温度に２度以内まで近づいたら、事前暖房運転を停止する。また、上記の入室検知情報のチェックの結果、入室検知情報が来ていたときには（７０２）、暖房換気扇は、強（例えば、１２００W）運転での「事前暖房」から、例えば弱（例えば、６００W）運転での「足元暖房」に暖房運転を変更する。
【０２０９】
尚、入室検知情報は、局部洗浄装置に備えられた、利用者の局部洗浄装置への接近を検知する人体検知センサー、ないしは利用者の局部洗浄装置利用を検知する着座検知センサー、の検知結果に基づいて、局部洗浄装置が発信する方法の他に、トイレ室入口近傍にトイレ室への利用者入退室を検知する入退室検知機器を設け、入退室検知機器が発信機能付機器としてトイレ室内に入退室検知情報を発信する方法、局部洗浄装置と入退室検知機器が電気的に接続され、入退室検知機器で検出された入退室検知情報が局部洗浄装置に受け取られ、局部洗浄装置が、他の情報と共にトイレ室内に入退室検知情報を発信する方法としても良い。
【０２１０】
また、暖房換気扇は、前述の「事前暖房」実施判断タスクでトイレ室内温度のみに基づいて事前暖房を行なうと決定した場合、ターミナル５０５以下のフローに示すように、内部温度偏差制御「事前暖房」タスクに入り、まず、省電力待機を解除し、強（例えば、１２００W）暖房運転を開始し、その後、暖房運転の効果がある程度現れるのに必要な所定時間が過ぎた段階で、局部洗浄装置から利用者の入室検知情報が来たかどうかを周期的にチェックし、来ないならば、続いて、内蔵サーミスタが検知したトイレ室内温度をチェックして、その室内温度がまだ２０℃未満なら、事前暖房運転を続行し、２０℃以上になったなら、事前暖房運転を停止する。また、上記の入室検知情報のチェックの結果、入室検知情報が来てたときには（７０３）、暖房換気扇は、強（例えば、１２００W）運転での「事前暖房」から、例えば弱（例えば、６００W）運転での「足元暖房」に暖房運転を変更する。
【０２１１】
図２１に示すように、暖房換気扇は、図１８〜図１９に示したタスクで暖房運転をまだ行なわないと決定した場合、ターミナル５１１，５１２，５１３及び７０１以下のフローに示すように、省電力待機継続タスクに入り、省電力待機状態を維持し、そして、局部洗浄装置から入室検知情報が来たかどうかを周期的にチェックし、来ない間は省電力待機状態を維持し、来たならば、省電力待機状態を解除する。
【０２１２】
一方、照明装置は、ターミナル６０４以下に示すように、連動運転モードになっている間中、連動点灯タスクを実行し、そこでは、局部洗浄装置から入室検知情報が来たかどうかを周期的にチェックし、来ない間は消灯状態を保ち、来たならば、点灯状態になる。
【０２１３】
以上のようにして、暖房換気扇と照明装置が、それぞれ独自の方法で自律的に、局部洗浄装置等からの情報信号を利用するか無視するか、及び、それを利用してどのような動作制御を行なうかを決定して、それぞれ独自の態様で稼動する。どの装置も、他の装置を積極的に制御するようなことはしない。そうであっても、機器システム全体としては、調和のとれた好ましい動作状態が達成される。
【０２１４】
また、上記の機器システムによれば、システム中の一機器のセンサー検出値を共有することによって、機器の動作を停止乃至は省電力待機に移行することが可能となるので、利用者の消し忘れなど乃至は消し忘れによる無用な電力の消費を防止することが可能となる。
【０２１５】
尚、以上述べてきた実施例については、これに限定されるものではなく、発明の主旨を逸脱しない範囲で、実施することができる。
【０２１６】
また、実施に際して、商用電源以外の電源（例えば一次電池、二次電池）により動作する機器を含んでいても、本発明の本発明の主旨を変えない範囲で行うことができる。
【０２１７】
機器の動作状態などの情報信号を外部に発する発信器や、他の機器からの情報信号を受信する受信機は、それぞれの機器の本体に設けることができるだけでなく、それぞれの機器の本体から離れたリモートコントローラに設けたり、或いは、それぞれの機器のリモートコントローラをその機器と他の周囲の機器との間の情報信号の中継器として用いるようにすることもできる。
【図面の簡単な説明】
【図１】トイレ室内に設置される発信機能付機器及び受信機能付機器の設置例の外観斜視図である。
【図２】本発明の機器システムの一例を示す構成ブロック図である。
【図３】本発明の発信機能付機器の一例である局部洗浄装置１０の外観を示す斜視図である。
【図４】本発明の発信機能付機器の一例である局部洗浄装置１０のケーシング１６内に収納される電装部品の構成ブロック図である。
【図５】本発明の受信機能付機器の一例である脱臭温風器を示した図である。
【図６】図５の脱臭温風器に用いる光触媒脱臭装置の構成を示した図である。
【図７】図６の光触媒脱臭装置の光触媒エレメント２１１と光源２１２の構成を示した図である。
【図８】図６の光触媒脱臭装置の運転フローチャートである。
【図９】図５の脱臭温風器の操作部を示した図である。
【図１０】本発明の受信機能付機器の一例である暖房送風換気扇の一実施形態を示す構成図である。
【図１１】図１０の暖房送風換気扇本体の内部を示す構成図である。
【図１２】図１０の暖房送風換気扇の一実施形態を示す制御ブロック図である。
【図１３】本発明の一実施形態に係る機器システムのフローチャートである。
【図１４】本発明の一実施形態に係る機器システムのフローチャート図１３の続きである。
【図１５】本発明の一実施形態に係る機器システムのフローチャート図１４の続きである。
【図１６】本発明の一実施形態に係る別の機器システムのフローチャートである。
【図１７】本発明の一実施形態に係る機器システムのフローチャート図１６の続きである。
【図１８】本発明の一実施形態に係る機器システムのフローチャート図１７の続きである。
【図１９】本発明の一実施形態に係る機器システムのフローチャート図１８の続きである。
【図２０】本発明の一実施形態に係る機器システムのフローチャート図１９の続きである。
【図２１】本発明の一実施形態に係る機器システムのフローチャート図１８〜２０の続きである。
【符号の説明】
Ａ…局部洗浄装置
Ｂ…脱臭温風器
Ｃ…暖房送風乾燥機
Ｄ…照明装置、
３…ダクト
６…室内ユニット
８…吸込口
９…吹出口、
１０…局部洗浄装置
１２…便座
１４…便蓋
１６…ケーシング
１８…補助操作部
２０…リモコン
３１…制御部
３３…切替スイッチ
１１０…循環用ファン
１２０…ヒータ
１４０…換気風路、
２０１…光触媒脱臭装置
２１１…光触媒エレメント
２１２…光源、
２１２ａ，２１２ｂ，２１２ｃ…光触媒励起用光源、
２１３…触媒シート固定手段
２１４…触媒シート
２１５…切欠部
２２１…運転制御部
２３０…送風機
２５０…送風口
２６０…吸入口
２７１…光源制御部
２７２…運転制御部
２７３…赤外線受光素子
２７３…風速センサー
２７４…照度センサー
２７５…運転選択スイッチ
２７６…給電接続部
２８０…脱臭温風器
２８１…熱交換器、
６００…ＡＣ制御ユニット
７００…ＤＣ制御ユニット
７０２…ＣＰＵ
７０４…ＲＯＭ
７０６…ＲＡＭ
７０８…不揮発性メモリ
７１０…内蔵時計
７１２…タイマ
７１４…通信回路
７１６…ＰＩＯ
７１８…バス
【図１】
0004175820.tif 000002
【図２】
0004175820.tif 000003
【図３】
0004175820.tif 000004
【図４】
0004175820.tif 000005
【図５】
0004175820.tif 000006
【図６】
0004175820.tif 000007
【図７】
0004175820.tif 000008
【図８】
0004175820.tif 000009
【図９】
0004175820.tif 000010
【図１０】
0004175820.tif 000011
【図１１】
0004175820.tif 000012
【図１２】
0004175820.tif 000013
【図１３】
0004175820.tif 000014
【図１４】
0004175820.tif 000015
【図１５】
0004175820.tif 000016
【図１６】
0004175820.tif 000017
【図１７】
0004175820.tif 000018
【図１８】
0004175820.tif 000019
【図１９】
0004175820.tif 000020
【図２０】
0004175820.tif 000021
【図２１】
0004175820.tif 000022